【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】  フック部材とループ部材とを含むフック・ループファスナであって、
前記フック部材が、フック裏材と、該フック裏材から突出する複数のフックとを含み、
前記ループ部材が、熱収縮された材料の単一層を含み、前記材料の第１の側に複数のループ状の繊維を、前記材料の第２の側に熱収縮された繊維状の表面をもつ、
ことを特徴とするフック・ループファスナ。
【請求項２】  前記材料の前記第２の側の熱収縮された複数の繊維が、前記材料の前記第１の側の前記複数のループ状の繊維と連続的であることを特徴とする、請求項１に記載のフック・ループファスナ。
【請求項３】  前記熱収縮された材料が、熱収縮された不織ウェブからなることを特徴とする、請求項１に記載のフック・ループファスナ。
【請求項４】  前記熱収縮された不織ウェブが、ボンデッドカーデッドウェブ、スパンボンドウェブ、又はメルトブローウェブからなるグループから選択されることを特徴とする、請求項３に記載のフック・ループファスナ。
【請求項５】  前記熱収縮された不織ウェブが、ポリオレフィン、ポリエステル、ポリアミド、及び熱可塑性エラストラマー重合体からなるグループから選択される重合体を含むことを特徴とする、請求項４に記載のフック・ループファスナ。
【請求項６】  前記重合体が、ポリエチレン、ポリプロピレン、ポリブテン、エチレン共重合体、プロピレン共重合体、及びブテン共重合体の１つ又はそれ以上からなるグループから選択されるポリオレフィンを含むことを特徴とする、請求項５に記載のフック・ループファスナ。
【請求項７】  前記ループ部材が、Ｓ織の結合パターンを備えることを特徴とする、請求項１に記載のフック・ループファスナ。
【請求項８】  前記ループ部材が、前記Ｓ織の結合パターンにより形成された１０から２５％の結合領域を有することを特徴とする、請求項７に記載のフック・ループファスナ。
【請求項９】  前記ループ部材が横方向に収縮されたものであることを特徴とする、請求項１に記載のフック・ループファスナ。
【請求項１０】  請求項１に記載のフック・ループファスナを備える吸収性物品。
【請求項１１】  請求項１に記載のフック・ループファスナを備えるおむつ。
【請求項１２】  請求項１に記載のフック・ループファスナを備えるトレーニングパンツ。
【請求項１３】  請求項１に記載のフック・ループファスナを備える婦人用衛生製品。
【請求項１４】  請求項１に記載のフック・ループファスナを備える失禁用製品。
【請求項１５】  請求項１に記載のフック・ループファスナを備える医療用衣料。
【請求項１６】  フック部材とループ部材とを含むフック・ループファスナであって、
前記フック部材が、フック裏材と該フック裏材から突出する複数のフックを含み、
前記ループ部材が、第１の材料の第１の側の複数のループ状の繊維をもつ第１の熱収縮された材料の層と、第２の材料の第２の側の熱により安定化された複数の繊維をもつ第２の熱収縮された材料の層とを含み、前記第１の熱収縮された材料と前記第２の熱収縮された材料とが互いに熱結合されたことを特徴とする、フック・ループファスナ。
【請求項１７】  前記第１の収縮された材料及び前記第２の収縮された材料が、互いに異なるデニールであることを特徴とする、請求項１６に記載のフック・ループファスナ。
【請求項１８】  前記第１の収縮された材料及び前記第２の収縮された材料が、互いに異なる坪量であることを特徴とする、請求項１６に記載のフック・ループファスナ。
【請求項１９】  前記第１の収縮された材料及び前記第２の収縮された材料が、互いに異なる樹脂からなることを特徴とする、請求項１６に記載のフック・ループファスナ。
【請求項２０】  前記第１の収縮された材料及び前記第２の収縮された材料の各々が、熱収縮された不織ウェブからなることを特徴とする、請求項１６に記載のフック・ループファスナ。
【請求項２１】  前記第１の収縮された材料及び前記第２の収縮された材料の両方の、前記熱収縮された不織ウェブが、ボンデッドカーデッドウェブ、スパンボンドウェブ、又はメルトブローウェブからなるグループから選択されることを特徴とする、請求項２０に記載のフック・ループファスナ。
【請求項２２】  各々の前記熱収縮された不織ウェブが、ポリオレフィン、ポリエステル、ポリアミド、及び熱可塑性エラストラマー重合体からなるグループから選択される重合体を含むことを特徴とする、請求項２１に記載のフック・ループファスナ。
【請求項２３】  各々の材料の前記重合体が、１つ又はそれ以上のポリエチレン、ポリプロピレン、ポリブテン、エチレン共重合体、プロピレン共重合体、及びブテン共重合体からなるグループから選択されるポリオレフィンを含むことを特徴とする、請求項２２に記載のフック・ループファスナ。
【請求項２４】  フック・ループファスナのループ部材を作るための方法であって、
単一層または熱結合された多層の繊維状の収縮可能なウェブの第２の側に熱を加え、
前記単一層または熱結合された多層の繊維状の収縮可能なウェブの前記第２の側を熱収縮させ、
前記単一層または熱結合された多層の繊維状の収縮可能なウェブの第２の側の前記単一層または熱結合された多層の繊維状の収縮可能なウェブの個々の繊維を熱により安定化させ、
前記単一層または熱結合された多層の繊維状の収縮可能なウェブの第１の側がループ状に集まるようにする、
ステップを含む方法。
【請求項２５】  前記熱の温度が、前記繊維状の収縮可能なウェブの融点の±５℃内であることを特徴とする、請求項２４に記載の方法。
【請求項２６】  前記熱が高温エアナイフを用いて加えられることを特徴とする、請求項２４に記載の方法。
【請求項２７】  前記繊維状の収縮可能なウェブが、前記高温エアナイフの下を、約１００から３，０００フィート／分の線速度で通過することを特徴とする、請求項２６に記載の方法。
【請求項２８】  前記繊維状の収縮可能なウェブが、前記高温エアナイフの下を、約５００から２，５００フィート／分の線速度で通過することを特徴とする、請求項２６に記載の方法。
【請求項２９】  前記繊維状の収縮可能なウェブが、前記高温エアナイフの下を、約１，０００から２，０００フィート／分の線速度で通過することを特徴とする、請求項２６に記載の方法。
【請求項３０】  前記高温エアナイフからの気流速度が、約１，０００から約２５，０００フィート／分であることを特徴とする、請求項２６に記載の方法。
【請求項３１】  前記高温エアナイフからの気流速度が、約５，０００から約２０，０００フィート／分であることを特徴とする、請求項２６に記載の方法。
【請求項３２】  前記高温エアナイフからの気流速度が、約８，０００から約１５，０００フィート／分であることを特徴とする、請求項２６に記載の方法。
【請求項３３】  熱を前記繊維状の収縮可能なウェブの前記第２の側に加えている間、真空により、成形ワイヤ上に前記繊維状の収縮可能なウェブを保持するステップをさらに含むことを特徴とする、請求項２４に記載の方法。
【請求項３４】  前記真空を制御し、前記繊維状の収縮可能なウェブが収縮方向に移動することを可能にするステップをさらに含むことを特徴とする、請求項３３に記載の方法。
【請求項３５】  前記繊維状の収縮可能な材料の前記第２の側が横方向に収縮することを特徴とする、請求項２４に記載の方法。
【請求項３６】  前記繊維状の収縮可能な材料が不織ウェブであることを特徴とする、請求項２４に記載の方法。
【請求項３７】  前記不織ウェブが、ボンデッドカーデッドウェブ、スパンボンドウェブ、メルトブローウェブ、及び少なくとも一層のメルトブローウェブと少なくとも一層のスパンボンドウェブの多層材料からなるグループから選択されることを特徴とする、請求項３６に記載の方法。
【請求項３８】  前記不織ウェブが、ポリオレフィン、ポリエステル、及びポリアミドからなるグループから選択される重合体を含むことを特徴とする、請求項３７に記載の方法。
【請求項３９】  前記重合体が、１つ又はそれ以上のポリエチレン、ポリプロピレン、ポリブテン、エチレン共重合体、プロピレン共重合体、及びブテン共重合体からなるグループから選択されるポリオレフィンを含むことを特徴とする、請求項３８に記載の方法。